(57)【特許請求の範囲】
【請求項１】
表示パネルと、
該表示パネルの一側縁に沿って装着されるパネル回路基板と、
該表示パネルの一側縁に直交する一方の側縁と他方の側縁のそれぞれに沿って装着される、前記表示パネルの光源を駆動する光源駆動用回路基板とを備え、
前記一方の側縁に沿って装着される光源駆動用回路基板および前記他方の側縁に沿って装着される光源駆動用回路基板は、それぞれ、前記パネル回路基板と直接電気的に接続されるとともに、前記パネル回路基板に設けられた電気配線を介して互いに同期信号を受信および／または送信して同期的に光源を駆動することを特徴とする表示装置。
【請求項２】
前記複数の光源駆動用回路基板は、前記同期信号に基づいて前記光源の両端に逆位相の電圧を印加することを特徴とする請求項１に記載の表示装置。
【請求項３】
前記複数の光源駆動用回路基板は、前記パネル回路基板との間の直接的な電気的接続を介して、表示パネルが表示する映像の同期信号を受信することを特徴とする請求項１または請求項２に記載の表示装置。
【請求項４】
請求項１から請求項３のいずれかに記載の表示装置が組み込まれたことを特徴とするテレビ受信装置。
【発明の詳細な説明】
【技術分野】
【０００１】
本発明は、たとえば液晶表示装置などの表示装置と、この表示装置を備えるテレビ受信機に関するものであり、特に、バックライトやサイドライトなどといった光源およびこの光源を駆動する駆動回路を備える表示装置と、この表示装置を備えるテレビ受信機に関するものである。
【背景技術】
【０００２】
表示装置のうち、たとえば透過型の液晶表示装置などは、画像を表示する液晶表示パネルと、その背面側に配設される光源ユニットとを備える。そして、この光源ユニットから照射される光を液晶表示パネルに透過させることにより、液晶表示パネルの表面に画像を可視状態に表示する。このような表示装置は、液晶表示パネルや光源ユニットの駆動などのための回路が構成された回路基板やＦＰＣなどを複数備える。そしてこれらの回路基板やＦＰＣなどがケーブルなどにより相互に電気的に接続され、互いに電気信号や電力などを伝達できるように構成される。【０００３】
たとえば一般的な液晶表示パネルは、その縁部にソースドライバやゲートドライバなどのドライバＩＣが実装されたタブ（ＴＡＢ）や、その他所定の電子部品や電気部品が実装されたプリント回路基板が装着される。またこれらソースドライバやゲートドライバを制御するコントロール回路基板が、光源ユニットの背面側に配設される。そして、これらタブやプリント回路基板とコントロール回路基板とが、ケーブルやＦＰＣなどにより電気的に接続される。これにより、コントロール回路基板はソースドライバやゲートドライバに制御信号を伝達し、ソースドライバやゲートドライバはこの制御信号に基づいて液晶表示パネルを駆動する。【０００４】
また、光源ユニットは、光源ランプ、たとえば冷陰極管や熱陰極管などの蛍光管と、これら光源ランプに印加する駆動電圧を生成する光源駆動用回路基板、たとえばインバータ回路基板を備え、光源ランプと光源駆動用回路基板とが電気的に接続される。【０００５】
光源ランプと光源駆動用回路基板の電気的な接続の態様は種々あるが、たとえば、光源ランプの両端の端子のうち、一方が光源駆動用回路基板に接続され、他方がリターン基板に接続され、リターン基板と光源駆動用回路基板のＧＮＤ（接地）とがリターンケーブルにより接続されるという構成が用いられる（特開２００４−１９１６７５号公報参照）。【０００６】
また、複数の光源ランプと２基の光源駆動用回路基板とを備え、各光源駆動用回路基板が全光源ランプのうちの半数ずつを駆動する構成が知られている。このような構成においては、全光源ランプのうちの半数は、それぞれ一方の端子が一方の光源駆動用回路基板から駆動電圧を受けるように接続され、それぞれ他方の端子が他方の光源駆動用回路基板のＧＮＤに接続される。残りの半数の光源ランプは、それぞれ一方の端子が前記他方の光源駆動用回路基板から駆動電圧を受けるように接続され、それぞれ他方の端子が前記一方の光源駆動用回路基板のＧＮＤに接続される。そして、これら２基の光源駆動用回路基板どうしは、電源ケーブル、リターンケーブルおよび光源ランプを駆動する制御信号群を伝送するケーブルを含む伝送ケーブルにより接続される（特開２００４−１９１６７５号公報参照）。【０００７】
このほか、液晶表示パネルが表示する画像の同期信号を光源駆動用回路基板に伝送できるように、コントロール回路基板と光源駆動用回路基板とが電気的に接続される構成も知られている（特開２００３−７５８０４号公報参照）。この構成は、光源駆動用回路基板により生成される光源ランプの駆動用のパルス電圧を、液晶表示パネルに表示する画像の垂直同期信号または水平同期信号に同期させることにより、液晶表示パネルの画面に現れるウェービングノイズを低減するものである。
【発明の開示】
【発明が解決しようとする課題】
【０００８】
前記のように、光源駆動用回路基板とリターン回路基板とを電気的に接続する構成、２基の光源駆動用回路基板どうしを電気的に接続する構成、またはコントロール回路基板と光源駆動用回路基板とを電気的に接続する構成においては、それぞれ回路基板どうしがケーブル類やＦＰＣなどによって直接的に接続される。光源駆動用回路基板やリターン基板は、光源ランプとの接続を考慮して、光源ランプの両端近傍に配置される。特に、光源駆動用回路基板から光源ランプに電力を供給する配線は、この配線からの電力のリークを最小限に抑えるため、できるだけ短くすることが好ましい。従って、光源ランプの高圧入力側端部にできる限り近づけて配設される。このため、光源駆動用回路基板とリターン基板または光源駆動用回路基板どうしが、結果として離れた位置に配置されるのが一般的である。また、コントロール回路基板と光源駆動用回路基板も離れた位置に配設されることがある。【０００９】
このほかの光源ランプを駆動する方式として、隣接する光源ランプを直列に接続し、逆位相の電圧を印加して駆動する構成が用いられることがある。このような構成においても、前記した理由により、光源駆動用回路基板が光源ランプの高圧入力側端部にできる限り近づけて配設される。【００１０】
このため、各回路基板どうしをケーブル類などによって直接的な電気的接続する構成では、部品点数や組立工数が増加するばかりではなく、組立作業中などにおいて誤ってケーブル類を引っ掛けるなど作業の障碍となることがある。特に最近の液晶表示パネルの大型化に伴って、表示装置内に配置される各基板の間の距離、殊に光源駆動用回路基板どうしの間の距離が長くなってきており、必要となるケーブル長をより長くする必要がある。その結果、誤ってケーブル類を引っ掛けやすくなっている。【００１１】
前記実情に鑑み、本発明が解決しようとする課題は、光源駆動用回路基板どうし、または光源駆動用回路基板とコントロール回路基板との間の電気的な接続に長いケーブル類を用いない接続態様を備える表示装置もしくはテレビ受信機を提供すること、または光源駆動用回路基板どうしもしくは光源駆動用回路基板とコントロール回路基板との間の電気的な接続に必要な部品点数を削減することができる表示装置もしくはテレビ受信機を提供することである。
【課題を解決するための手段】
【００１２】
前記課題を解決するため、本発明は、表示パネルの一側縁に沿って装着されるパネル回路基板と、該表示パネルの一側縁に直交する一方の側縁と他方の側縁のそれぞれに沿って装着される、前記表示パネルの光源を駆動する光源駆動用回路基板とを備え、前記一方の側縁に沿って装着される光源駆動用回路基板および前記他方の側縁に沿って装着される光源駆動用回路基板は、それぞれ、前記パネル回路基板と直接電気的に接続されるとともに、前記パネル回路基板に設けられた電気配線を介して互いに同期信号を受信および／または送信して同期的に光源を駆動するように構成されるものである。
【００１３】
このような表示パネルとしては、たとえばＴＦＴ液晶表示パネルに代表されるアクティブマトリックスタイプの表示パネルが適用され、パネル回路基板としては、この表示パネルを駆動するソース側駆動回路基板やゲート側駆動回路基板が適用される。なお、ここでソース側駆動回路基板、ゲート側駆動回路基板とは、たとえば、表示パネルの周縁部に沿って直接的にまたは間接的にこの表示パネルに装着される回路基板をいう。単一の回路基板であるか、複数の回路基板が組み合わされたものであるかを問うものではない。また、回路基板とは、たとえばベークライトやその他の合成樹脂材料などにより形成される一般的な硬い基板のみならず、フレキシブルなフィルムに所定の電子回路や電気回路が形成されるようなもの、具体的にはＳＯＦ（Ｓｙｓｔｅｍ  ｏｎ  Ｆｉｌｍ）のようなものも含まれる。【００１７】
たとえば、複数の光源駆動用回路基板の間で、互いに同期信号の受信や送信を行い、この同期信号に基づいて同期的に光源を駆動することができるように構成される。また、この同期信号に基づいて、光源の両端に逆位相の電圧を印加できるように構成されるもであってもよい。このほか、複数の光源駆動用回路基板は、前記パネル回路基板との間の直接的な電気的接続を介して表示パネルが表示する映像の同期信号を受信し、受信したこの同期信号に基づいて光源を表示パネルに同期して駆動できる構成としてもよい。
【発明の効果】
【００１８】
本発明によれば、従来のような光源駆動用回路基板どうしを直接的に伝送ケーブル等で接続する構成と比較して、伝送ケーブル類が不要となって部品点数や組立工数の削減を図ることができる。特に、表示パネルの周縁部に装着されるパネル回路基板は、光源駆動用回路基板に近接しており、それらの間の距離は、表示パネルのサイズを変更してもあまり影響を受けない。このため従来のようにケーブル類を用いて接続する構成であれば、表示パネルの大型化に応じて長いケーブル類を用いる必要があるが、本発明のような構成ではそのような必要がない。そして、光源駆動用回路基板に対して配索されるケーブル類が存在しなくなることから、表示装置の組立作業時などにおいて、作業の障碍となることもなくなる。【００１９】
この表示パネルとしてＴＦＴ液晶表示パネルのようなアクティブマトリックスタイプの表示パネルが適用される構成であると、この表示パネルの周縁部にはソースドライバやゲートドライバが構築された回路基板が装着されているから、これらの回路基板と光源駆動用回路基板とを接続すれば、部品点数を増加させる必要がない。【００２０】
また、前記パネル回路基板と、前記光源駆動用回路基板との間の接続には、電気ケーブルやＦＰＣなど、フレキシブルな電気的接続手段が用いられると、接続作業が容易である。【００２１】
前記光源駆動用回路基板が、前記パネル回路基板との間の直接的な電気的接続を介して、表示パネルが表示する映像の同期信号や階調信号を受信したり、電源回路からの電力の供給を受けることができるように構成されると、これらの信号を伝送する手段や電力を供給する手段を統合することができる。このため、さらに部品点数や組立工数の削減を図ることができる。【００２２】
また、複数の光源駆動用回路基板を備える構成において、これら複数の光源駆動用回路基板がそれぞれパネル回路基板を解して互いに接続されることにより光源駆動用回路基板どうしが接続される構成であれば、各光源駆動用回路基板はパネル回路基板に近接した位置にあるから、光源駆動用回路基板どうしを直接的に接続する構成のような長いケーブル類が不要となる。【００２３】
そして、複数の光源駆動用回路基板の間で、互いに同期信号の受信や送信を行い、この同期信号に基づいて同期的に光源を駆動することができる構成、または、複数の光源駆動用回路基板が、この電気的接続を介して画像の同期信号を受信し、光源を表示パネルに同期して駆動できる構成、または、複数の光源駆動用回路基板が、この電気的接続を介して画像の階調信号を受信する構成であると、パネル回路基板にこれらの信号の伝送手段を持たせることができるから、部品点数や組立工数の削減を図ることができ、また表示装置の構造を単純化できる。
【図面の簡単な説明】
【００２４】
【図１】本発明の第一実施形態に係る表示装置の構造を模式的に示した分解斜視図である。
【図２】前記実施形態に係る表示装置の組み付け途中の段階を示した一部分解斜視図である。
【図３】前記実施形態に係る表示装置のうち、光源の駆動に関する部分を抽出して模式的に示した図である。
【図４】前記実施形態に係る表示装置の液晶表示パネルと各光源ランプの駆動タイミングを示したタイムチャートである。
【図５】前記実施形態に係る表示装置の液晶表示パネルと各光源ランプの駆動タイミングを示したタイムチャートである。
【図６】本発明の第二実施形態に係る表示装置のうち、光源の駆動に関する部分を抽出して模式的に示した図である。
【図７】本発明の第三実施形態に係る表示装置のうち、光源の駆動に関する部分を抽出して模式的に示した図である。
【図８】本発明の第三実施形態に係る表示装置の構造を模式的に示した分解斜視図である。
【図９】前記実施形態に係る表示装置の組み付け途中の段階を示した一部分解斜視図である。
【図１０】本発明の第四実施形態に係る表示装置のうち、光源の駆動に関する部分を抽出して模式的に示した図である。
【図１１】本発明の第五実施形態に係る表示装置のうち、光源の駆動に関する部分を抽出して模式的に示した図である。
【図１２】本発明の第六実施形態に係る表示装置のうち、光源の駆動に関する部分を抽出して模式的に示した図である。
【図１３】本発明の第七実施形態に係る表示装置のうち、光源の駆動に関する部分を抽出して模式的に示した図である。
【図１４】本発明の実施形態にかかるテレビ受信機の構成を模式的に示した分解斜視図である。
【図１５】本発明に係る表示装置の変形例を模式的に示した図であり、光源駆動用回路基板とゲート側共通基板とが直接的に電気的接続される構成を備える表示装置について、光源の駆動に関する部分を抽出して模式的に示した図である。
【図１６】本発明に係る表示装置の変形例を模式的に示した図であり、（ａ）は、液晶表示パネルの周縁部に１枚のＳＯＦが装着される構成を備える表示装置を、（ｂ）は液晶表示パネルの周縁部に複数のタブが装着され、各タブが互いに重畳して接続される構成を備える表示装置を示す。
【発明を実施するための最良の形態】
【００２５】
以下に、本発明の各実施形態について、図面を参照して詳細に説明する。以下に示す本発明の各実施形態に係る表示装置は、透過型の液晶表示パネルと、光源および光源駆動用回路基板を備え、光源駆動用回路基板と液晶表示パネルの周縁部に装着される共通回路基板との間に直接的な電気的接続が構成される。そして、光源駆動用回路基板は、この電気的な接続を介して種々の所定の信号や電力の送受信を行うように構成される。【００２６】
まず、本発明の第一実施形態について説明する。第一実施形態に係る表示装置は、１基の光源駆動用回路基板を備える。そしてこの光源駆動用回路基板が、液晶表示パネルの周縁部に装着される共通回路基板との直接的な電気的接続を介して、光源を駆動する電力の供給を受けると共に、液晶表示パネルが表示する画像の同期信号を受信するように構成される。【００２７】
図１は、本発明の第一実施形態に係る表示装置の構造を模式的に示した分解斜視図である。なお、本明細書においては、図１の上方を表示装置の前面側、下方を背面側と称する。【００２８】
まず、第一実施形態に係る表示装置１ａの構成の概略を説明する。第一実施形態に係る表示装置１ａは、画像を表示する液晶表示パネル２と、この液晶表示パネル２を制御するコントロール信号を生成するコントロール回路基板３２と、光源ランプ１４を駆動する光源駆動用回路基板３１ａとを備える。【００２９】
また、本表示装置１ａのシャーシであるバックライトアングル１１と、このバックライトアングル１１の両短辺に装着されるサイドホルダ１３と、光源ランプ１４が発した光を乱反射させる反射シート１２と、この光の特性を調整する光学シート類１５と、この光学シート類１５や液晶表示パネル２を支持するフレーム１６およびベゼル１７とを備える。このほか、前記光源駆動用回路基板３１ａを覆う光源駆動用回路基板カバー１８とコントロール回路基板３２を覆うコントロール回路基板カバー１９とを備える。【００３０】
次に、本表示装置１ａを構成する各部材について説明する。【００３１】
液晶表示パネル２は、従来一般の構成を備える透過型のアクティブマトリックスタイプの液晶表示パネルが適用できる。このため、液晶表示パネル２の構成や動作についての詳細な説明は省略する。この液晶表示パネル２の長辺の一方には、ソース線を駆動するドライバＩＣなど（以下、「ソースドライバ」と称する）が実装される複数のタブ（ＴＡＢ：Ｔａｐｅ  Ａｕｔｏｍａｔｅｄ  Ｂｏｎｄｉｎｇｓ）２１が装着される。そして、これらのタブ２１は共通基板（以下、この共通基板を「ソース側共通基板２２ａ」と称する）に接続される。また、液晶表示パネル２の短辺の一方には、ゲート線を駆動するドライバＩＣなど（以下、「ゲートドライバ」と称する）が実装されたタブ２５が装着される。そしてこれらのタブ２５は、共通基板（以下、この共通基板を「ゲート側共通基板２６」と称する）に装着される。【００３２】
各共通基板２２ａ，２６は、細長い形状を有する回路基板であり、後述するコントロール回路基板３２が生成した液晶表示パネル２を制御するコントロール信号を、ソースドライバやゲートドライバに分配等できるように構成される。【００３３】
ソース側共通基板２２ａには、所定の箇所に、第一種端子部２２１と第二種端子部２２２とが設けられる。第一種端子部２２１は、ソース側共通基板２２ａとコントロール回路基板３２との間に電気的接続を構成するための端子部である。第二種端子部２２２は、ソース側共通基板２２ａと光源駆動用回路基板３１ａとの間に電気的接続を構成するための端子部である。【００３４】
これら第一種端子部２２１と第二種端子部２２２が設けられる具体的な箇所としては、それぞれ、コントロール回路基板３２や光源駆動用回路基板３１ａとの間に電気的接続を構成した際に、この電気的接続の長さが最短となる箇所であることが好ましい。したがってこれらの位置は、表示装置１ａにおける各部材の配置場所に依存する。一般的には、コントロール回路基板３２は、バックライトアングル１１の背面のほぼ中央に配置されるから、第一種端子部２２１もこれに合わせてソース側共通基板２２ａの長さ方向の中央近傍に設けられる。また、光源駆動用回路基板３１ａは、バックライトアングル１１の背面の液晶表示パネル２の短辺近傍に配置されるから、第二種端子部２２２は長さ方向の端部近傍に設けられることが好ましい。そして、第一種端子部２２１と第二種端子部２２２とを電気的に接続する電気配線が設けられる。この電気配線については後述する。【００３５】
コントロール回路基板３２は、液晶表示パネル２、正確にはソースドライバやゲートドライバを制御するためのコントロール信号を生成するコントロール回路が構築された回路基板である。生成されるコントロール信号には、表示する画像の水平同期信号および垂直同期信号が含まれる。このコントロール回路基板３２には、たとえばゲートドライバやソースドライバを制御するコントロールＩＣ（図示せず）、その他所定の電子部品や電気部品（図示せず）が実装されてコントロール回路が構築される。またこのコントロール回路基板３２には、ソース側共通基板２２ａと直接的な電気的接続を構築するための端子部３２１が設けられる。なお、このコントロール回路基板３２は、従来一般のものと同じものが適用できるから、詳細な説明は省略する。【００３６】
光源駆動用回路基板３１ａは、光源ランプ１４を駆動するための高圧交流電圧を生成するインバータ回路や、その他所定の電子回路および電気回路が構築された回路基板である。この光源駆動用回路基板３１ａには、たとえばインバータ用のトランジスタやその他所定の電子部品や電気部品が実装される。また、この光源駆動用回路基板３１ａは、ソース側共通基板２２ａと直接的な電気的接続を構築するための端子部３１１が設けられる。この光源駆動用回路基板３１ａおよびこの光源駆動用回路基板３１ａに構築される電気回路や電子回路は、従来一般の構成を有するものが適用できることから、詳細な説明は省略する。【００３７】
光源ランプ１４は、一般的な表示装置に用いられる一般的な光源ランプが適用できる。具体的にはたとえば、冷陰極管や熱陰極管などの蛍光管、ＬＥＤなどの発光素子、またはこれらが組み込まれた光源組立体などが適用できる。このため、光源ランプ１４の構造や動作の説明は省略する。図１に示す本表示装置１ａに組み込まれる光源ランプ１４は、直管形状を有しその両端に電極が設けられる構成の蛍光管である。また、以下の説明においても、光源ランプ１４として、両端に端子を備える蛍光管が適用される構成を用いる。【００３８】
バックライトアングル１１は、略平板状の部材で、たとえば金属板材などからプレス加工などにより形成される。サイドホルダ１３は略棒状の部材であり、たとえば合成樹脂などにより一体に成形される。フレーム１６およびベゼル１７は、たとえば金属板材などからプレス加工などにより形成され、その外周には、それぞれ背面側に向かって曲げ起こされるような周壁１６１，１７１が形成される。光源駆動用回路基板カバー１８およびコントロール回路基板カバー１９は、前記光源駆動用回路基板３１ａまたはコントロール回路基板３２を覆う蓋体で、たとえば金属板材などにより形成される。また、光学シート類１５および反射シート１２は、従来一般の表示装置に一般的に用いられるものが適用できる。したがって、これらの部材の詳細な説明は省略する。【００３９】
このような部材からなる表示装置１ａの組み付け構造は、次の通りである。【００４０】
バックライトアングル１１の前面側に反射シート１２が配設され、その前面に光源ランプ１４が並べて配置される。この状態で、サイドホルダ１３が、バックライトアングル１１の短辺に沿って光源ランプ１４の端部近傍を覆うように装着される。そしてバックライトアングル１１およびサイドホルダ１３の前面側に光学シート類１５が載置され、さらにその前面側にフレーム１６が覆い被せられるように装着される。【００４１】
フレーム１６の前面には液晶表示パネル２が装着される。液晶表示パネル２の周縁部に装着されるタブ２１，２６がフレーム１６の前面および周壁１６１の外周面に沿うように背面側に向かって曲げ起こされ、これらのタブ２１，２６に接続される各共通基板２２ａ，２６が、フレーム１６の側壁１６１の外周面に固定される。また、バックライトアングル１１の背面側には、光源駆動用回路基板３１ａおよびコントロール回路基板３２が装着される。【００４２】
図２は、バックライトアングル１１、反射シート１２、サイドホルダ１３、光源ランプ１４、光学シート類１５、フレーム１６、液晶表示パネル２、光源駆動用回路基板３１ａおよびコントロール回路基板３２が組み付けられ、ソース側共通基板２２ａがフレーム１６の周壁１６１に固定された状態を示した図である。【００４３】
この状態で、コントロール回路基板３２に設けられる端子部３２１と、ソース側共通基板２２ａに設けられる第一種端子部２２１とが、電気的接続手段５１ａにより直接的に電気的接続される。また、光源駆動用回路基板３１ａの端子部３１１と、ソース側共通基板２２ａの第二種端子部２２２とが、電気的接続手段５２ａにより直接的に電気的接続される。ソース側共通基板２２ａの第一種端子部２２１と第二種端子部２２２とは、電気配線により接続されており、光源駆動用回路基板３１ａとコントロール回路基板３２とが、ソース側共通基板２２ａを介して電気的に接続される。具体的な接続態様については後述する。【００４４】
このコントロール回路基板３２の端子部３２１とソース側共通基板２２ａの第一種端子部２２１とを接続する電気的接続手段５１ａ、および光源駆動用回路基板３１ａの端子部３１１とソース側共通基板２２ａの第二種端子部２２２とを接続する電気的接続手段５２ａとしては、たとえばフラットケーブル、ＦＰＣまたは電線の束など、電気信号や電力の伝送に用いられる一般的な電気的接続手段が適用できる。なお、この電気的接続手段５１ａ，５２ａは、作業性の観点などからフレキシブルなものであることが好ましい。また、各電気的接続手段５１ａ，５２ａと各基板３１ａ，３２との具体的な接続構成には、コネクタ、異方性導電膜、ハンダなどによる接続などが適用できる。
【００４５】
光源ランプ１４の一方の電極は光源駆動用回路基板３１ａに接続され、他方の電極は接地される。そしてベゼル１７、光源駆動用回路基板カバー１８およびコントロール回路基板カバー１９が装着される。【００４６】
このような構成を有する表示装置１ａの基本的な動作は次の通りである。図１を参照して説明すると、コントロール回路基板３２により生成されたコントロール信号は、ソースドライバ、ゲートドライバに伝送され、ソースドライバ及びゲートドライバはこのコントロール信号によって液晶表示パネル２の薄膜トランジスタを動作させる。また、光源ランプ１４が発した光は、直接あるいは反射シート１２に乱反射するなどして光学シート類１５を通過し、この光学シート類１５により特性が調整される。そして特性が調整された光は液晶表示パネル２を透過する。これにより、液晶表示パネル２の表面に画像が可視状態に表示される。【００４７】
図３は、第一実施形態に係る表示装置１ａのうち、主に光源の動作に関する構成を抜き出して示した模式図である。【００４８】
この図３に示すように、ソース側共通基板２２ａの第一種端子部２２１と第二種端子部２２２との間の電気配線には、画像の水平同期信号を伝送する水平同期信号線２２６と、垂直同期信号を伝送する垂直同期信号線２２７とが含まれる。また、コントロール回路基板３２から受信したコントロール信号を、各ゲートドライバやソースドライバに分配等するコントロール信号線２２５が設けられる。なお、このコントロール信号線２２５は、単線の電気配線ではなく、所定の複数の信号を伝送する並列的な複数の電気配線の集合である。【００４９】
コントロール回路４２は、外部の電源３３から供給される電力により駆動し、外部から受信した画像信号ａ（図中の矢印ａは、画像信号の受信を模式的に示す）に基づいてコントロール信号を生成する。【００５０】
生成されたコントロール信号は、コントロール回路基板３２の端子部３２１から電気的接続手段５１ａを通じてソース側共通基板２２ａに伝送され、ソース側共通基板２２ａに設けられるコントロール信号線２２５を通じて各ソースドライバ４７に分配されると共に、ゲート側共通基板（図示せず。図中の矢印ｂは、ゲート側共通基板に伝送されるコントロール信号を模式的に示す）に伝送されてゲートドライバに分配される。そして、各ソースドライバ４７やゲートドライバは、コントロール信号に基づいて液晶表示パネル２に形成される薄膜トランジスタを駆動する。【００５１】
光源駆動用回路基板３１ａは、分周用のカウンタ４６、分周用のシフトレジスタ４５、光源ランプ１４に印加する高圧交流電圧を生成する光源駆動回路４１および高圧交流電圧の印加タイミングを制御する高耐圧スイッチング回路４４とを備える。【００５２】
光源駆動回路４１は、高圧交流電圧を生成して高耐圧スイッチング回路４４に出力する。カウンタ４６は、コントロール回路４２から受信した水平同期信号を分周し、この分周したシフトクロックをシフトレジスタ４５に出力する。シフトレジスタ４５は、コントロール回路４２から受信した垂直同期信号に基づいて、カウンタ４６から受信したシフトクロックを分周する。高耐圧スイッチング回路４４は、光源駆動回路４１から供給された高圧交流電圧を、シフトレジスタ４５から受信した信号に基づいて、所定のタイミングで各光源ランプ１４に印加する。【００５３】
図４は、垂直同期信号と、各光源ランプ１４の点灯および消灯のタイミングとの関係を示したタイムチャートである。なお、図４中における「第ｎ（ｎ＝１，２，３，４，５，６，・・・）の光源ランプ」とは、図３において「上からｎ番目」に配置される光源ランプのことを指す。この図４に示すように、垂直同期信号に同期して、第１の光源ランプ、第２の光源ランプ、第３の光源ランプ、・・・の順に少しずつタイミングをずらして順次点灯および消灯させていく。このように、光源ランプ１４を液晶表示パネル２が表示する画像に同期させることによって、画面上に現れるノイズの低減を図ることができる。【００５４】
また、光源ランプ１４を液晶表示パネル２が表示する画像に同期させることによって、動画を表示しても、尾引きのあるぼやけた表示とならないようにすることができる。このような場合における本実施形態にかかる表示装置の具体的な動作は次のとおりである。【００５５】
図５は、本実施形態にかかる表示装置の光源ランプの点灯タイミングを示すタイミングチャートである。図５中における「第ｎの光源ランプ」とは、図３において「上から（すなわち表示パネルに画像を表示させる際に、表示パネルに設けられる複数の走査線のそれぞれにゲートパルスを印加する方向の上流側から）ｎ番目」に配置される光源ランプのことを指す。なお、図５においては１０本の光源ランプ（Ｎ＝１０）を備える構成を示すが、これは説明のための例であり、光源ランプの本数が限定されるものではない。【００５６】
垂直走査期間Ｈｖから垂直ブランキング期間Ｔｂ（画像の表示には使用されない期間）を除いた期間Ｔａを、光源ランプの本数Ｎで分割する。この期間Ｔｃｎ（ｎ＝１〜Ｎ）を説明の便宜上、「分割期間」と称する。たとえば液晶表示パネル２に設けられる走査線の本数がたとえば４８０本であるならば、１番目の分割期間Ｔｃ１は１番目から４８番目の走査線を走査する期間となり、２番目の分割期間Ｔｃ２は４９番目から９６番目の走査線を走査する期間となる。３番目以下の分割期間も同様である。【００５７】
そして１番目の分割期間Ｔｃ１においては第１の光源ランプを発光させ、２番目の分割期間Ｔｃ２においては第２の光源ランプを発光させ、・・・というように、ｎ番目の分割期間Ｔｃｎにおいて第ｎの光源ランプを発光させ、他の光源ランプは消灯する、という動作をおこなう。【００５８】
すなわち、１番目から４８番目の走査線を走査する期間（１番目の分割期間Ｔｃ１）においては、これらの走査線の直下またはその近傍に配設される第１の光源ランプが発光し、他の光源ランプは消灯する。４９番目から９６番目の走査線を走査する期間（２番目の分割期間Ｔｃ２）においては、これらの走査線の直下またはその近傍に配設される第２の光源ランプが発光し、他の光源ランプは消灯する。このように本実施形態にかかる表示装置は、各分割期間Ｔｃｎにおいて走査する走査線の直下またはその近傍にある光源ランプが発光し、他の光源ランプは消灯するという動作をおこなう。この結果、尾引きのあるぼやけた動画表示となることを防止または抑制できる。【００５９】
なお、第一種端子部２２１と第二種端子部２２２との間の水平同期信号線２２６および垂直同期信号線２２７は、それぞれ専用の電気配線を別個独立して形成する必要はない。コントロール信号線２２５は前記の通り複数の並列的な信号線の集合であり、その中にはソースドライバやゲートドライバに水平同期信号や垂直同期信号を伝送するための電気配線も含まれる。したがって、実際には、コントロール信号線２２５に含まれる水平直同期信号や垂直同期信号を伝送する電気配線を、スルーホールなどを介して第二種端子部２２２にまで引き出せばよい。なお、光源駆動用回路基板３１ａに伝送するために、専用の独立した水平同期信号線２２６および垂直同期信号線２２７を形成する構成であっても構わない。【００６０】
光源駆動用回路基板３１ａに水平同期信号や垂直同期信号を送信する必要がある場合において、これらの信号をソース側共通基板２２ａを介して送信する構成とすると、コントロール回路基板３２と光源駆動用回路基板３１ａとの間には、直接的なケーブル接続などの電気的接続を設ける必要がなくなる。このため、コントロール回路基板３２と光源駆動用回路基板３１ａとの間に跨って架設されるケーブル類が存在しなくなるから、作業の障碍となるようなこともない。また、部品点数の削減や工数の削減を図ることができる。【００６１】
次に、本発明の第二実施形態について説明する。なお、第二実施形態の説明においては、第一実施形態と異なる構成の部分について説明する。そして、第一実施形態と同じ構成を有する部分については説明を省略し、第一実施形態における説明と同じ符号を付して示す。図６は、第二実施形態にかかる表示装置のうち、主に光源の動作に関する部分を抜き出して示した模式図である。【００６２】
図６に示すように第二実施形態にかかる表示装置１ｂは、液晶表示パネル２と、この液晶表示パネル２を制御するコントロール信号を生成するコントロール回路基板３２と、光源ランプ１４と、光源ランプ１４を駆動する光源駆動用回路基板３１ｂとを備える。そして液晶表示パネル２の長辺の一方には、この液晶表示パネル２の長辺の一方には、ソース線を駆動するドライバＩＣなど（以下、「ソースドライバ」と称する）が実装される複数のタブ２１が装着される。そして、これらのタブ２１はソース側共通基板２２ｂに接続される。【００６３】
ソース側共通基板２２ｂの第一種端子部２２１と第二種端子部２２２との間の電気配線には、画像の階調信号を伝送する階調信号線２２８とが含まれる。また、コントロール回路基板３２から受信したコントロール信号を、各ゲートドライバやソースドライバに分配等するコントロール信号線２２５が設けられる。なお、このコントロール信号線２２５は、単線の電気配線ではなく、所定の複数の信号を伝送する並列的な複数の電気配線の集合である。【００６４】
コントロール回路４２は、外部の電源３３から供給される電力により駆動し、外部から受信した画像信号ａ（図中の矢印ａは、画像信号の受信を模式的に示す）に基づいてコントロール信号を生成する。このコントロール信号には、前記階調信号が含まれる。【００６５】
生成されたコントロール信号は、コントロール回路基板３２の端子部３２１から電気的接続手段５１ｂを通じてソース側共通基板２２ｂに伝送され、ソース側共通基板２２ｂに形成されるコントロール信号線２２５を通じて各ソースドライバ４７に分配されると共に、ゲート側共通基板（図示せず。図中の矢印ｂは、ゲート側共通基板に伝送されるコントロール信号を模式的に示す）に伝送されてゲートドライバに分配される。そして、各ソースドライバ４７やゲートドライバは、コントロール信号に基づいて液晶表示パネル２に形成される薄膜トランジスタを駆動する。【００６６】
光源駆動用回路基板３１ｂは、光源ランプ１４に印加する高圧交流電圧を生成する光源駆動回路４１とを備える。光源駆動回路４１は輝度制御回路４８を備える。輝度制御回路４８は、コントロール信号に含まれる階調信号に基づいて、光源ランプ１４の一垂直走査期間ごとの輝度を算出し決定する。【００６７】
具体的には次のような方法が適用できる。輝度制御回路４８は、階調信号から、一垂直走査期間における輝度の高い絵素の数と輝度の低い絵素の数とをカウントし、輝度の高い絵素の数と輝度の低い絵素の数とを比較する。そして高い輝度の絵素の数と低い輝度の絵素の数の差に応じて、当該垂直走査期間における各光源ランプ１４の輝度を決定する。すなわち、当該垂直走査期間において高い輝度の絵素が多い場合には、光源ランプ１４の輝度を高くし、低い輝度の絵素が多い場合には光源ランプ１４の輝度を低くする。【００６８】
そしてコントロール回路４２が生成した階調信号は、ソース側共通基板２２ｂに設けられる階調信号線２２８を通じて、光源駆動用回路基板３１ｂの輝度制御回路４８に伝送される。このような構成によれば、第一実施形態と同様の作用効果を奏することができる。【００６９】
なお、第一種端子部２２１と第二種端子部２２２との間の階調信号線２２８は、それぞれ専用の電気配線を別個独立して形成する必要はない。コントロール信号線２２５は前記の通り複数の並列的な信号線の集合であり、その中にはソースドライバ４７に階調信号を伝送するための電気配線も含まれる。したがって、実際には、コントロール信号線２２５に含まれる電気配線のうち、階調信号を伝送する電気配線を、スルーホールなどを介して第二種端子部２２２にまで引き出せばよい。なお、光源駆動用回路基板３１ａに伝送するために、専用の独立した階調信号線２２８を形成する構成であっても構わない。【００７０】
なお、輝度の調整は、一垂直走査期間ごとにすべての光源ランプ１４に対して一律におこなう構成のほか、光源ランプ１４ごとにおこなう構成であってもよい。たとえば、前記第一実施形態の分割期間ごとに光源ランプ１４を発光させる構成に適用することもできる。すなわち、各分割期間に走査する絵素において、輝度の高い絵素の数と輝度の低い絵素の数とをカウントしてそれらの数を比較し、その差に応じて当該分割期間に発光させる光源ランプ１４の輝度を調節する、という構成とすることもできる。【００７１】
次に、本発明の第三実施形態について説明する。本発明の第三実施形態に係る表示装置は、光源駆動回路がソース側共通基板を介して光源ランプの駆動用電力の供給を受ける構成を備える。なお、以下の説明においては、主に前記第一実施形態または第二実施形態と相違する部分について説明し、第一実施形態または第二実施形態と同一または類似の構成を有する部分については説明を省略する。【００７２】
図７は、第三実施形態に係る表示装置１ｃから、液晶表示パネル２および光源ランプ１４の駆動に必要な構成を抜き出して示した模式図である。第三実施形態に係る表示装置１ｃにおいて、ソース側共通基板２２ｃの第一種端子部２２１と第二種端子部２２２との間の電気配線には、電力供給線２２３が含まれる。この電力供給線２２３は、光源ランプ１４を駆動する電力を光源駆動用回路基板３１ｃに供給するための電気配線である。【００７３】
光源駆動用回路基板３１ｃは、電気的接続手段５２ｃおよび第二種端子部２２２を通じてソース側共通基板２２ｃに接続される。そして、光源駆動用回路基板３１ｃに構築される光源駆動回路４１は、外部の電源３３〜コントロール回路基板３２〜電気的接続手段５１ｃ〜ソース側共通基板２２ｃの電力供給線２２３〜電気的接続手段５２ｃという経路を通じて電力の供給を受ける。光源駆動回路４１は、電力の供給を受けて光源ランプ１４を駆動する高圧交流電圧を生成し、各光源ランプ１４に印加する。【００７４】
このような構成によれば、従来のように、外部の電源３３と光源駆動用回路基板３１ｃの間に電源ケーブルを引き回す必要がなくなる。このため、前記第一実施形態または第二実施形態と同様の作用効果を奏することができる。【００７５】
なお、前記第一実施形態、第二実施形態、第三実施形態は、それぞれ単独で実施するのではなく、統合して実施するものであってもよい。たとえば、光源ランプ１４を液晶表示パネル２が表示する画像信号に同期して駆動させる方式の表示装置において、画像の水平同期信号、垂直同期信号および光源を駆動する電力を、ソース側共通基板２２ａ，２２ｂ，２２ｃを介して光源駆動用回路基板３１ａ，３１ｂ，３１ｃに伝送または供給する構成としてもよい。このような構成によれば、前記各実施形態と同様の作用効果を奏することに加え、前記各実施形態をそれぞれ単独に実施する構成に比較すると、電気的接続手段５１ａと５１ｂと５１ｃ、５２ａと５２ｂと５２ｃとを統合することができるから、さらに部品点数や工数を削減することができる。【００７６】
次に本発明の第四実施形態について説明する。第四実施形態に係る表示装置は、２基の光源駆動用回路基板を備え、これらの光源駆動用回路基板が同期して光源ランプを駆動する構成を備える。なお、以下の説明においては、主に第一実施形態から第三実施形態のいずれかと異なる構成について説明し、同一または類似する構成については説明を省略する。【００７７】
図８は、本発明の第四実施形態に係る表示装置の構造を模式的に示した分解斜視図である。図８に示すように、本実施形態に係る表示装置１ｄは、２基の光源駆動用回路基板３１ｄ（説明の便宜上、それぞれの基板に符号「３１ｄｌ」、「３１ｄｒ」を付して区別するが、後述の構成を除き基本的には同じものである。）と、それぞれの光源駆動用回路基板３１ｄ（３１ｄｌ，３１ｄｒ）を覆う光源駆動用回路基板カバー１８が設けられる。【００７８】
図９は、本発明の第四実施形態に係る表示装置の組み付け状態を示した斜視図である。図９に示すように、ソース側共通基板２２ｄの両端近傍に第二種端子部２２２が設けられ、各第二種端子部２２２と各光源駆動用回路基板３１ｄｌ，３１ｄｒとが電気的接続手段５２ｄにより接続される。なお本実施形態に係る表示装置１ｄは、後述する構成を除き前記第一実施形態から第三実施形態に係る表示装置１ａ，１ｂ，１ｃのいずれかとほぼ同じであるため、説明は省略する（詳しくは図１、図２およびその説明を参照）。【００７９】
図１０は、本実施形態に係る表示装置１ｄから、液晶表示パネル２および光源ランプ１４の駆動に必要な構成を抜き出して示した模式図である。【００８０】
この図１０に示すように、本表示装置１ｄの液晶表示パネル２に装着されるソース側共通基板２２ｄは、一箇所の第一種端子部２２１と二箇所の第二種端子部２２２を備える。各第二種端子部２２２が設けられる位置は、それぞれ光源駆動用回路基板３１ｄｌ，３１ｄｒとの間に電気的接続を構成した際に、この電気的接続の長さが最短となる箇所とすることが好ましい。一般的には、各第二種端子部２２２は、それぞれソース側共通基板２２ｄの長さ方向の両端部近傍に設けられることが好ましい。また、各第二種端子部２２２の間は電気配線で接続される。この電気配線には後述する同期信号を送受信する同期信号線２２４が含まれる。【００８１】
各光源駆動用回路基板３１ｄｌ，３１ｄｒに構成されるそれぞれの光源駆動回路４１は同期して作動し、各光源ランプ１４の両端の電極に逆位相の交流電圧を印加する。このような動作を実現するため、二基の光源駆動用回路基板３１ｄｌ，３１ｄｒのいずれか一方（図１０においては左側の光源駆動用回路基板３１ｄｌ）に同期信号を生成する発振回路４３が設けられ、各光源駆動用回路基板３１ｄｌ，３１ｄｒの光源駆動回路４１は、この発振回路４３が生成する同期信号に基づいて、互いに逆位相の交流電圧を生成する。発振回路４３を有しない光源駆動用回路基板３１ｄｒは、光源駆動用回路基板３１ｄｌの発振回路４３が生成した同期信号を受信して用いる。すなわち光源駆動用回路基板３１ｄｌで生成された同期信号は、光源駆動用回路基板３１ｄｌから、電気的接続手段５２ｄ、ソース側共通基板２２ｄ、電気的接続手段５２ｄを経て光源駆動用回路基板３１ｄｒの光源駆動回路４１に伝送される。【００８２】
このような、２基の光源駆動用回路基板３１ｄｌ，３１ｄｒにより各光源ランプ１４の両端の電極に逆位相の電圧を印加する構成を用いる理由は次の通りである。最近の液晶表示パネルの大型化に伴い、管長の長い光源ランプを使用する必要が生じている。光源ランプとして用いられる蛍光管は、駆動時において内部に交流電流が流れるから、光源ランプの背面側にバックライトアングルなど導体からなる部材が近接して存在すると、光源ランプとこの部材との間でキャパシティが形成されて電流のリークが生じる。このため、従来のような光源ランプの一方の端子に光源駆動回路により生成された高圧交流電圧を印加し、他方の端子を接地する構成（前記第一実施形態または第二実施形態参照）では、高圧交流電圧が印加される側の端子から接地される端子の側に向かうに従って管内を流れる電流が徐々に減少する。その結果、接地される側に近づくにつれて発光量が少なくなり、液晶表示パネルの一側が暗くなり、輝度が左右で不均一になるという現象が生じうる。【００８３】
そこで、光源ランプの両端に逆位相の交流電圧を印加することにより、光源ランプの片方が暗くなるのを防止する。この際、２基の光源駆動用回路基板から出力される交流電圧が逆位相の関係を維持するように、各光源駆動回路を同期させて駆動する必要がある。このため、２基の光源駆動用回路基板３１ｄｌ，３１ｄｒのいずれか一方（ここでは、符号「３１ｄｌ」が付された側の光源駆動用回路基板）に、同期信号を生成する発振回路４３を設け、２基の光源駆動用回路基板３１ｄｌ，３１ｄｒを同期信号を送受信可能に接続し、各光源駆動用回路基板３１ｄｌ，３１ｄｒの光源駆動回路４１がこの同期信号を共用する構成が用いられる。【００８４】
このような場合、各光源駆動用回路基３１ｄｌ，３１ｄｒは一般的に、光源ランプ１４との接続性を考慮して液晶表示パネル２の背面側の両短辺近傍に配置される。このため最近の液晶表示パネル２の大型化に伴い、光源駆動用回路基板３１ｄｌ，３１ｄｒの間の距離も長くなる。したがって、光源駆動用回路基板３１ｄｌ，３１ｄｒどうしをケーブル類で直接的に接続する従来の構成では、ケーブル類も必然的に長くなる。【００８５】
しかしながら、液晶表示パネル２が大型化しても、ソース側共通基板２２ｄの長さは長くなるが、ソース側共通基板２２ｄと光源駆動用回路基板３１ｄｌ，３１ｄｒの間の距離は直接的には影響を受けない。すなわち、液晶表示パネル２のサイズにかかわりなく、ソース側共通基板２２ｄの両端近傍が各光源駆動用回路基板３１ｄｌ，３１ｄｒに近接している。このため、本実施形態に係る構成とすれば、ソース側共通基板２２ｄの各第二種端子部２２２と各光源駆動用回路基板３１ｄｌ，３１ｄｒの端子部３１１との間を接続するＦＰＣやケーブル類はごく短いものでよい。したがって、長いケーブル類が不要となって他の作業の障碍要因を除去でき、また、この電気的接続手段が他の作業の障碍となることもない。【００８６】
次に、本発明の第五実施形態について説明する。第五実施形態に係る表示装置は、２基の光源駆動用回路基板を備え、各光源駆動回路が逆位相の交流電圧を生成するとともに、各光源駆動回路は、ソース側共通基板を介して同期信号を受信する構成を備え、光源駆動回路が液晶表示パネルに同期して作動する。すなわち、前記第一実施形態において、光源駆動用回路基板を２基用いる構成である。以下、主に前記各実施形態と異なる部分について説明し、同一または類似の構成については説明を省略する。【００８７】
図１１は、第五実施形態に係る表示装置１ｅのうち、光源の駆動に関する構成を抜き出して示した模式図である。この図１１に示すように、ソース側共通基板２２ｅには、一箇所の第一種端子部２２１と二箇所の第二種端子部２２２が設けられる。そして、第一種端子部２２１と各第二種端子部２２２との間には電気配線が設けられる。この電気配線には、水平同期信号を伝送する水平同期信号線２２６と、垂直同期信号を伝送する垂直同期信号線２２７が含まれる。これにより、コントロール回路４２から第一種端子部２２１を介して水平同期信号と垂直同期信号を受信し、両方の第二種端子部２２２に送信することができる。これら第一種端子部２２１および第二種端子部２２２が設けられる好ましい位置は、前記第四実施形態に係る表示装置と同じである。【００８８】
第五実施形態に係る表示装置１ｅの各光源駆動用回路基板３１ｅは、前記第一実施形態に係る光源駆動用回路基板３１ａとほぼ同じ構成を備える。また、逆位相の高圧交流電圧を生成する構成については、前記第四実施形態にかかる各光源駆動用回路基板３１ｄ（３１ｄｌ，３１ｄｒ）とほぼ同じ構成を備える。そして、互いに逆位相の高圧交流電圧を生成し、各光源ランプ１４の両端にそれぞれ逆位相の高圧交流電圧を印加する。具体的な動作は、各光源駆動用回路基板３１ｅが互いに逆位相の高圧交流電圧を生成する点を除けば、前記第一実施形態に係る表示装置１ａとほぼ同じであり、逆位相の高圧交流電圧を生成する点については第四実施形態にかかる表示装置１ｄとほぼ同じであることから、説明は省略する（図４およびその説明を参照）。【００８９】
光源駆動回路４１が、水平同期信号や垂直同期信号をソース側共通基板２２ｅを介して受信する構成であると、光源駆動用回路基板３１ｅとコントロール回路基板３２との間に直接的な電気的接続を構成する必要がなくなり、前記各実施形態と同様の作用効果を奏することができる。【００９０】
次に、本発明の第六実施形態について説明する。第六実施形態に係る表示装置は、２基の光源駆動用回路基板を備え、各光源駆動回路が逆位相の交流電圧を生成するとともに、各光源駆動回路は、ソース側共通基板を介して階調信号を受信する構成を備える。そして、光源駆動回路が液晶表示パネルに表示する画像の階調に応じて、各光源ランプの輝度を制御する。すなわち、前記第二実施形態と第四実施形態とを組み合わせたような構成である。以下、主に前記各実施形態と異なる部分について説明し、同一または類似の構成については説明を省略する。【００９１】
図１２は、第六実施形態に係る表示装置１ｆのうち、光源の駆動に関する構成を抜き出して示した模式図である。この図１２に示すように、ソース側共通基板２２ｆには、一箇所の第一種端子部２２１と二箇所の第二種端子部２２２が設けられる。そして、第一種端子部２２１と各第二種端子部２２２との間には電気配線が設けられる。この電気配線には、階調信号を伝送する階調信号線２２８が含まれる。これにより、コントロール回路４２から第一種端子部２２１を介して階調信号を受信し、両方の第二種端子部２２２に送信することができる。これら第一種端子部２２１および第二種端子部２２２が設けられる好ましい位置は、前記第四実施形態に係る表示装置と同じである。
【００９２】
第六実施形態に係る表示装置１ｆの各光源駆動用回路基板３１ｆは、前記第一実施形態に係る光源駆動用回路基板３１ａとほぼ同じ構成を備える。また、互いに逆位相の高圧交流電圧を生成し、各光源ランプ１４の両端にそれぞれ逆位相の高圧交流電圧を印加する構成については、前記第四実施形態または第五実施形態にかかる光源駆動用回路基板３１ｄ（３１ｄｌ，３１ｄｒ），３１ｅとほぼ同じ構成を備える。具体的な動作は、各光源駆動用回路基板３１ｆが互いに逆位相の高圧交流電圧を生成する点を除けば、前記第一実施形態に係る表示装置１ａとほぼ同じであり、逆位相の高圧交流電圧を生成する点については前記第四実施形態または第五実施形態とほぼ同じであることから、説明は省略する（図５およびその説明などを参照）。【００９３】
光源駆動回路４１が、階調信号をソース側共通基板２２ｆを介して受信する構成であると、光源駆動用回路基板３１ｆとコントロール回路基板３２との間に直接的な電気的接続を構成する必要がなくなり、前記各実施形態と同様の作用効果を奏することができる。
【００９４】
次に本発明の第七実施形態について説明する。第七実施形態に係る表示装置は、２基の光源駆動用回路基板を備え、各光源駆動用回路基板がソース側共通基板を介して光源を駆動する電力の供給を受ける構成を備える。すなわち本実施形態は、前記第三実施形態を２基の光源駆動用回路基板を備える構成に適用した形態である。光源駆動用回路基板がソース側共通基板を介して電力の供給を受ける構成は前記第二実施形態において説明したことから、ここでは、各光源駆動用回路基板がソース側共通基板を介して電力の供給を受けつつ、ソース側共通基板を介して同期をとる構成を用いて説明する。すなわち、以下に説明する本実施形態に係る表示装置は、第四実施形態と第三実施形態とを組み合わせた構成を有する。以下、主に前記各実施形態と相違する部分について説明し、同一または類似の構成を有する部分については説明を省略する。【００９５】
図１３は、第七実施形態に係る表示装置１ｇから、光源ランプ１４の駆動に必要な構成を抜き出して示した模式図である。第六実施形態に係る表示装置１ｇのソース側共通基板２２ｇは、一箇所の第一種端子部２２１と、二箇所の第二種端子部２２２を備える。第一種端子部２２１と第二種端子部２２２との間、および各第二種端子部２２２相互間には、電気配線が設けられる。第一種端子部２２１と第二種端子部２２２との間の電気配線には、光源を駆動する電力を伝送する電力供給線２２３が含まれる。第二種端子部２２２相互間の電気配線には、同期信号を伝送する同期信号線２２４が含まれる。【００９６】
したがって、各光源駆動用回路基板３１ｇｌ，３１ｇｒは、外部の電源３３から、ソース側共通基板２２ｇを介して光源ランプ１４を駆動する電力の供給を受けることができる。また、発振回路４３を有しない光源駆動用回路基板３１ｇｒは、光源駆動用回路基板３１ｇｌの発振回路４３が生成した同期振動を、ソース側共通基板２２ｇを介して受信することができる。【００９７】
このような構成を備える表示装置の具体的な動作は、第四実施形態に係る表示装置１ｄとほぼ同じであることから、説明を省略する。このような構成によれば、前記第四実施形態と同様の作用効果を奏することができるほか、各光源駆動用回路基板３１ｇｌ，３１ｇｒに対する電力の供給と同期信号の送受信とを統合でき、さらなる部品点数の削減と工数の削減を図ることができる。その結果、作業の障碍となる要因（長いケーブル類の存在）をより少なくすることができる。【００９８】
なお、第七実施形態においては、電力の供給と同期信号の送受信とを統合した構成を示したが、必ずしも統合する必要はない。また、前記第五実施形態の説明においては、各光源駆動用回路基板へ電力を供給する構成を省略したが、第七実施形態に示すように、電力の供給と垂直同期信号および水平同期信号の受信を統合するものであってもよい。【００９９】
次いで、本発明の実施形態に係るテレビ受信機について簡単に説明する。図１４は、本発明の実施形態にかかるテレビ受信機の構造を模式的に示した分解斜視図である。【０１００】
本実施形態に係るテレビ受信機６は、受信した電波から所定のチャンネルの映像信号と音声信号を生成するチューナ６１と、チューナ６１が生成した映像信号に基づいて映像を表示する表示装置１と、チューナ６１が生成した音声信号に基づいて音声を発する拡声手段６２と、これらチューナ６１、表示装置１および拡声手段６２に対し電力を供給する電源３３を備える。【０１０１】
チューナ６１には、従来一般の地上波チューナ、ＢＳチューナ、ＣＳチューナなどが適用できる。拡声手段６２には、一般的なスピーカなど、従来一般の拡声手段が適用できる。したがって、これらの詳細な説明は省略する。また、表示装置１には、本発明の前記実施形態のいずれかに係る表示装置が適用される。そして、これら表示装置１、チューナ６１、拡声手段６２、電源３３が、図１４に示すように、キャビネット６３１，６３２と呼ばれる筐体に収納されて支持台６４に支持される構成、または、チューナ６１、拡声手段６２、電源３３が、表示装置１に組み付けられる構成などを備える。【０１０２】
以上、本発明の各実施形態について、図面を参照して詳細に説明したが、本発明は前記実施形態に何ら限定されるものではなく、本発明の趣旨を逸脱しない範囲において種々の改変が可能であることは言うまでもない。【０１０３】
前記実施形態においては、表示パネルとして液晶表示パネルが適用される構成を示したが、周縁部に沿ってパネル回路基板が装着される構成を有する表示パネルであれば、その種類が限定されるものではない。たとえばアクティブマトリックスタイプの表示装置は、一般に前記のような構造を備えることから、液晶表示パネルに限らずアクティブマトリックスタイプの表示パネルなどであれば適用できる。【０１０４】
また、前記各実施形態においては、光源駆動用回路基板やコントロール回路基板がソース側共通基板に直接的に接続される構成を示したが、ゲート側共通基板と接続される構成であってもよい。【０１０５】
一般に液晶表示パネルは長方形に形成され、長辺側からソース信号を入力し、短辺側からゲートを駆動する構成を備える。したがって、長辺にソース側共通基板が装着され、短辺にゲート側共通基板が装着される。そしてテレビ受信機などに用いられる場合には、長辺を水平にした横長方向に配置される。一方、一般に光源ランプは、その軸線を水平に向けて配置される。このため、前記各実施形態に示したように、光源ランプとソース基板とが略平行に配置され、光源駆動用回路基板が液晶表示パネルの短辺近傍に配置される構成となる。このような構成によれば、ソース側共通基板と光源駆動用回路基板との間に直接的な電気的接続を構成することにより、前記各実施形態に示したような作用効果を奏することができる。【０１０６】
しかしながら、液晶表示パネルを、その短辺を水平にした縦長方向にして配置される構成が用いられることがある。たとえば壁面広告用のディスプレイなどは、このような態様で用いられる場合がある。このような構成においては、光源ランプを水平方向に向けて配置すると、光源駆動用回路基板に対するソース側共通基板およびゲート側共通基板の位置関係が、前記各実施形態とは逆になる。したがって、このような構成において前記各実施形態に示したような作用効果を奏するためには、光源駆動用回路基板とゲート側共通基板との間に直接的な電気的接続を構成する必要がある。【０１０７】
図１５は、光源駆動用回路基板３１ｈがゲート側共通基板２６と接続される表示装置の構成の例を示した模式図であり、具体的には、前記第三実施形態において液晶表示パネル２を縦長に配置した構成である。【０１０８】
簡単に説明すると、液晶表示パネル２の短辺にゲートドライバが実装された複数のタブ２５が装着され、これらのタブ２５は、ゲート側共通基板２６ｈに接続される。このゲート側共通基板２６ｈはソース側共通基板（図示せず）からコントロール信号を受信し（矢印ｂは、ソース側共通基板から送信されるコントロール信号を模式的に示したものである）、各ゲートドライバに分配等する。さらに、このゲート側共通基板２６ｈの長さ方向の両端近傍には、第二種端子部２２２が設けられる。各第二種端子部２２２の間には電気配線（同期信号線２２４）が設けられ、同期信号を送受信できるように構成される。また、光源駆動用回路基板３１ｈは液晶表示パネル２の両長辺近傍に配置される。そして各光源駆動用回路基板３１ｆは、電気的接続手段５２ｈによりゲート側共通基板２６ｈに接続される。【０１０９】
このような構成の表示装置１ｈは、前記第四実施形態に係る表示装置と同様の動作を行い、同様の作用効果を奏することができる。なお、ここでは、例として第四実施形態に適用する形態を示したが、この実施形態に限らず適用できる。要は、ゲート側共通基板とソース側共通基板とが入れ替わったのみであることから、前記各実施形態の説明において、「ソース側共通基板」を「ゲート側共通基板」に読み替えるのみでよい。【０１１０】
また、前記各実施形態においては、液晶表示パネルの周縁部に複数のタブが装着され、さらにそのタブに装着される共通基板を経由して電気信号や電力を伝送する構成を備えるが、液晶表示パネルの周縁部に装着される共通基板やタブは、このような形態に限定されるものではない。【０１１１】
図１６は、液晶表示パネル２の周縁部に装着される回路基板の変形例を示した図であり、それぞれ、図１６（ａ）は、液晶表示パネル２の周縁部に１枚のＳＯＦ２２ｉが装着される構成、図１６（ｂ）は、液晶表示パネル２の周縁部に複数のＳＯＦ２２ｊが装着される構成を示す。なお、これらの図は、図９からベゼルを省略したものに相当する。【０１１２】
図１６（ａ）に示す変形例は、液晶表示パネルの周縁部に１枚のＳＯＦ（Ｓｙｔｅｍ  ｏｎ  Ｆｉｌｍ）２２ｉが装着される構成を備える。このＳＯＦ２２ｉは、一葉のフィルム上に、液晶表示パネル２を駆動するソースドライバ、このソースドライバにコントロール信号を分配するためのコントロール信号線、第一種端子部、第二種端子部およびこれらの端子部間の電気配線が実装または形成される。したがってこのＳＯＦ２２ｉは、前記各実施形態におけるソース側共通基板の機能とソースドライバが実装されたＴＡＢの機能を包含する。そしてこのＳＯＦ２２ｉは、コントロール基板（図示せず）と接続する電気的接続手段５１ｉ、各光源駆動用回路基板（図示せず）に接続する電気的接続手段５２ｉを備え、これらの電気的接続手段５１ｉ，５２ｉによりコントロール回路基板や光源駆動用回路基板と電気的に接続される。これ以外の構成については、前記各実施形態のいずれかと同じ構成を備える。【０１１３】
また、図１６（ｂ）に示す変形例は、ドライバＩＣが実装された複数のＳＯＦ２２ｊが、それぞれの端部が互いに重畳するように装着され、この重畳する部分を介して各ＳＯＦ２２ｊ間で信号の送受信や電力の伝送ができるように構成される。この各ＳＯＦ２２ｊの集合体は、液晶表示パネル２を駆動するソースドライバ、このソースドライバにコントロール信号を分配するためのコントロール信号線、第一種端子部、第二種端子部およびこれらの端子部間の電気配線が実装または形成されるものである。すなわち、前記いずれかの実施形態におけるソース側共通基板の機能とソースドライバが実装されたＴＡＢの機能を包含するものである。そして、液晶表示パネル２の長辺の中央近傍に装着されるＳＯＦ２２ｊは、電気的接続手段５１ｊを介してコントロール回路基板と電気的に接続される。また液晶表示パネルの長辺の両端近傍に装着されるＳＯＦ２２ｊは、電気的接続手段５２ｊを介して各光源駆動用回路基板と電気的に接続される。これ以外の構成については、前記いずれかの実施形態と同じ構成を備える。【０１１４】
これらの変形例の具体的な動作は、前記各実施形態のいずれかと同じであることから、説明は省略する。
【図１】
0004744521.tif 000002
【図２】
0004744521.tif 000003
【図３】
0004744521.tif 000004
【図４】
0004744521.tif 000005
【図５】
0004744521.tif 000006
【図６】
0004744521.tif 000007
【図７】
0004744521.tif 000008
【図８】
0004744521.tif 000009
【図９】
0004744521.tif 000010
【図１０】
0004744521.tif 000011
【図１１】
0004744521.tif 000012
【図１２】
0004744521.tif 000013
【図１３】
0004744521.tif 000014
【図１４】
0004744521.tif 000015
【図１５】
0004744521.tif 000016
【図１６】
0004744521.tif 000017